(57)【要約】【課題】  看板を運搬可能とする看板用バッグを提供する。【解決手段】看板用ボードを収納するバッグは、表示面に対応して多数のＬＥＤが配置され、ＬＥＤを駆動する電池を備えるボードを収納する本体部と、本体部に収納されたボードの表示面を外部から見ることができる、本体部に形成された開放部と、開放部を被うことができる、開閉可能な透明性カバーを有する。【選択図】  図１
2015073602.tif 000002
【特許請求の範囲】
【請求項１】
表示面に対応して多数のＬＥＤが配置され、該ＬＥＤを駆動する電池を備えるボードを収納する本体部と、
該本体部に収納された該ボードの該表示面を外部から見ることができる、該本体部に形成された開放部と、
該開放部を被うことができる、開閉可能な透明性カバーと
を有することを特徴とするバッグ。
【請求項２】
前記本体部の上側には該看板を収納する収納口が設けられ、更に該収納口を被う、開閉可能な上カバーを備え、
前記透明性カバーの一端は該上カバーに結合している請求項１のバッグ。
【請求項３】
更に、前記本体部に結合された1対のフックと、該フックに係合するベルトを有する請求項１又は２記載のバッグ。
【請求項４】
前記開放部を被う前記透明性カバーを前記開放部から移動した状態で、前記表示面に文字等を描くことができる請求項１乃至３のいずれかの項記載のバッグ。
【請求項５】
表示面に対応して多数のＬＥＤが配置され、該ＬＥＤを駆動する電池を備えるボードと、
収納口より該ボードを受け入れて収納する本体部と、
該本体部に収納された該ボードの該表示面を外部から見ることができる、該本体部に形成された開放部と、
該開放部を被うことができる、開閉可能な透明性カバーと
を有することを特徴とするボード用装置。
【請求項６】
切欠き部を有する平板状部材が用意され、
該平板状部材の該切欠き部に前記ボードの少なくとも該電池を収容した状態で、前記ボードと該平板状部材が前記本体部に収納されること
を特徴とする請求項５記載のボード用装置。
【請求項７】
文字等が描ける表示面を有する看板用ボードと、
収納口より該ボードを受け入れて収納する本体部と、
該本体部に収納された該ボードの該表示面を外部から見ることができる、該本体部に形成された開放部と、
を有することを特徴とするボード用装置。
【発明の詳細な説明】
【技術分野】
【０００１】
本発明は、バッグ及びボード用装置に係り、特にＬＥＤを用いた内照式ボードを収納するバッグ及びボード用装置に関する。
【背景技術】
【０００２】
節電と看板表示の鮮明さの利点から、光源にＬＥＤを用いた内照式看板が実用化されている。ＬＥＤ看板の内部表面には、光の３原色であるＲＧＢ（赤緑青）のＬＥＤが多数配列され、内部に設けたマイコンの制御によってこれらのＬＥＤを点滅制御することで、多様の表示様式の制御が可能となる。利用者は、水性ペンを用いてＬＥＤ看板の表面に文字やイラスト（宣伝用文字等）を描くことができる。ＬＥＤ看板の表面にＲＧＢ色別に描かれた文字等は、対応する色のＬＥＤの点滅制御によって蛍光発光して鮮明な色の表現となる。そのため、顧客の注目を引くことができ、特に夜間の宣伝効果が期待できる。この種の技術として、例えば特許文献１に記載の照明看板装置が知られている。
【先行技術文献】
【特許文献】
【０００３】
【特許文献１】特開２０１３−５０６２０号公報
【発明の概要】
【発明が解決しようとする課題】
【０００４】
従来の看板は、特許文献１に記載のように、スタンドポールを用いて比較的大型のパネルを店の敷地に立設したものや、店の入り口に吊す形式のものが主である。一方、野外のイベント会場や夜間の街頭での宣伝のために、ＬＥＤ看板を持ち運びながら宣伝効果を狙いたいという要求がある。
【０００５】
本発明の目的は、内照式ボードを運搬可能とするバッグ及びボード用装置を提供することにある。
【課題を解決するための手段】
【０００６】
本発明に係るバッグは、好ましくは、表示面に対応して多数のＬＥＤが配置され、該ＬＥＤを駆動する電池を備えるボードを収納する本体部と、該本体部に収納された該ボードの該表示面を外部から見ることができる、該本体部に形成された開放部と、該開放部を被うことができる、開閉可能な透明性カバーとを有するバッグとして構成される。
【０００７】
本発明に係るボード用装置は、好ましくは、表示面に対応して多数のＬＥＤが配置され、該ＬＥＤを駆動する電池を備えるボードと、収納口より該ボードを受け入れて収納する本体部と、該本体部に収納された該ボードの該表示面を外部から見ることができる、該本体部に形成された開放部と、該開放部を被うことができる、開閉可能な透明性カバーとを有するボード用装置として構成される。
【発明の効果】
【０００８】
本発明の好ましい例によれば、ＬＥＤボードのようなボード乃至看板をバッグに収納して運搬することができ、運搬しながらボード乃至看板による情報伝達を行うことができる。また、バッグに収納した状態でボードの表面に、マークペン等の筆記具を用いて適宜手書きすることができる。さらに、ボードの手書き表面は透明カバーで覆うことができるので、雨天時でも看板を運搬しながら情報伝達を行える。
【図面の簡単な説明】
【０００９】
【図１】ＬＥＤ看板およびその収納用バッグの一例を示す図。
【図２】バッグの例を示す図。
【図３】バッグの例を示す斜視図。
【図４】ＬＥＤ看板の保護部材およびバッグの背面を示す図。
【図５】ＬＥＤ看板に保護部材をセットした状態およびバッグの背面を示す図。
【図６】ＬＥＤ看板と保護部材をバッグに収納した状態の背面を示す図。
【図７】バッグに収納されたＬＥＤ看板の使用状態を示す図。
【発明を実施するための形態】
【００１０】
以下、図面を参照して、本発明の好ましい実施例について説明する。
図１は、ＬＥＤ看板およびその収納用バッグ（以下単にバッグという）の例を示す。図２、図３はＬＥＤ看板を収納した状態のバッグを示す。
ＬＥＤ看板（以下単にボードという）１は、例えば厚さ４０〜５０ｍｍ程のＡ３サイズの大きさで、長方形の表示面１１と長方形のアクリル製の枠１２を有する。利用者は、カラー水性ペンを用いて表示面１１に文字や絵などの描くことができる。図示の表示面１１には宣伝用の文字が描かれた状態を示している。
【００１１】
表示面１１の内部には多数のＲＧＢ（３原色）のＬＥＤが配列されており、内部に実装されたマイコンの制御によって、ＲＧＢそれぞれのＬＥＤを点滅制御することができ、それぞれの色のＬＥＤが点滅すると対応する色の水性ペンが蛍光発色する。点滅や点灯のタイミングやＬＥＤの色を制御することで、宣伝情報の多様なパターンを表現することができ、特に夜間や暗所で顧客の注目をひくことができる。
【００１２】
ボード１のＬＥＤは電池駆動される。図４に示すように、ボード１の背面にはリチュウムイオン電池１４およびＬＥＤを駆動するための部品が実装される（電池まで含めて総じて実装部品と言ってよい）。リチュウムイオン電池１４が実装される回路部には、電気コード１５のプラグ１６が接続して、その電気コード１５の一端はスイッチ部１３に接続される。電気コード１５´の他端はボード１の内部に案内され、マイコン（図示せず）に接続される。スイッチ部１３の操作によって点滅モードの切り換えが行える。なお、ＬＥＤの駆動のオンオフは、プラグ１６と電気コード１５の接続の可否による。発明者の試作によれば、リチュウムイオン電池１４を用いたボードでは点滅状態で約２５時間の連続使用が可能である。
【００１３】
ボード１の背面には、ボード１を安定的にバッグ２に収納するための、保護部材１０が配置される。保護部材１０はポリエチレンフォーム製の平板部材であり、外形形状がボード１と略同じ形状で、厚さはリチュウムイオン電池１４やスイッチ部１３等の実装部品を保護するに足りる程度である。保護部材１０は、リチュウムイオン電池１４に対応する部分が欠けた切欠き部１０１を有し、その上部のスイッチ部１３に対応する部分（ここでは低部という）１０２はスイッチ部１３が露出するように若干低くなっている。
【００１４】
図５に示すように、利用者は、ボード１の背面にあるリチュウムイオン電池１４及びスイッチ部１３に、保護部材１０の切欠き部１０１及び低部１０２を合わせて組み合わせ、その状態で、ボード１と保護部材１０を、矢印Ｘ方向からバッグ２の収納口２１に収納する。利用者は、保護部材１０が利用者の体に面した状態でバッグ２を運ぶので、保護部材１０は運搬時の振動がボード１に伝わる影響を低減させることもできる。
【００１５】
次に、バッグ２の構成について説明する。
バッグ２は、ボード１を収納するバッグ本体部２０、ボード１を上側（矢印Ｘ方向）から収納する収納口２１、収納口２１を被う上カバー２２、バッグの前面側にあってボードの表示面１１を見ることができる長方形の開放部２０１、開放部２０１の外縁を形成するフチ部２０２、開放部２０１を被う長方形状の透明カバー２３を備える。更に、バッグ２を運搬するためのベルト２５のフック２５１を引っ掛ける、バッグ本体部２０の両側部に設けられた本体側フック２４を有する。バッグ本体部２０及び上カバー２２は合成樹脂性である。
【００１６】
上カバー２２の一端は、バッグ本体部２０１の前面上部に固定される（その部分を上カバー固定部という）。また、上カバー２２の他端には複数個所に亘ってマジックファスナー（登録商標）等の係止部２２１が設けられる。利用者が、バッグ本体部２０１にボード１と保護部材１０を収納した後、上カバー２２を中心に矢印Ｙ方向へ回転し、係止部２２１をバッグ２の背部（利用者の体側）に設けられた複数の係止部２２３（図５）に係合することで、上カバー２２は本体部２０１に固定される。
【００１７】
上カバー２２の他端の裏部には透明カバー２３の一端が固定される（その部分を透明カバー固定部という）。これは、図６に示すように、透明カバー２３の一端の３ヶ所に設けられたマジックファスナー等の係止部２３４と、上カバー２２の他端の表部の３ヶ所に設けられたマジックファスナー等の係止部２２１とが係合することで上カバー２２に透明カバー２３が固定される。
【００１８】
図２に示すように、透明カバー２３の他端（先端）の２ヶ所には、マジックファスナー等の係止部２３２が設けられ、これらの係止部２３２はバッグ２の下部にあるフチ部２０２の２ヶ所に設けられたマジックファスナー等の係止部２０３と係合することで、透明カバー２３の他端が場バッグ２の表側に固定される。
【００１９】
バッグ２に、ボード１と保護部材１０のセットが収納された状態を、図３及び図６に示す。利用者は、この状態で表示面１１を被っている透明カバー２３の係止部２３２と２０３を解除して、透明カバー２３をＺ方向（図２）へ移動させる。そして、表示面に描かれた文字等を消去しまたはカラー水性ペンを用いて表示面１１に文字等を描くことができる。文字等を描いた後は透明カバー２３を閉じて、係止部２３２を係止部２０３に係合させる。この状態で、利用者がバッグ２を肩にかけて運ぶことで、ボード１の表示面１１による情報伝達や宣伝の効果が発揮される（図７参照）。
【００２０】
以上、本発明の好ましい実施例について説明したが、本発明は上記した実施例に限定されずに、種々変形、応用して実施し得る。
例えば、平板状の保護部材１０の切欠き部１０１の形状は、上記実施例に限らず、ボード１に使用される電池等の実装部品を保護するための位置に形成することができる。更に他の例によれば、保護部材１０に適当な切り抜き部（穴）を設けて、ボード１の表示面に文字等を記載する水性ペンや書いた文字を消す拭き取り布を、切り抜き部に収容するように構成してもよい。
【００２１】
また、用語について言えば、上記実施例ではＬＥＤ看板又はＬＥＤボードと言ったが、単にボード或いはパネルと言ってもよい。また、上記実施例では「バッグ」と言ったが、別の表現として、鞄、収納具、或いは収納ユニットと言ってもよい。また、看板乃至ボードとバッグを組み合わせたものを看板乃至ボード用装置と言うことができる。
【００２２】
また、上記実施例では、広告のためにＬＥＤボードをバッグに収納して運搬するとしたが、広告に限らず、広く情報伝達手段又は照明手段として使用することもできる。例えば、各種イベントや旅行等の人員の誘導用として、或いは道路や工事誘導灯として使用できる。また、災害非難時の避難先表示或いは人員誘導灯として使用できる。また、停電時の一時的な照明手段として使用できる。
【符号の説明】
【００２３】
１：ＬＥＤ看板（ボード）  １１：表示面  １２：枠  １３：スイッチ部  １４：リチュウムイオン電池  １５、１５´：電気コード  １６：プラグ
１０：保護部材  １０１：切欠き部  
２：バッグ  ２０：バッグ本体部  ２０１：開放部  ２０２：フチ部  ２０３：係止部
２１：収納口  ２２：上カバー  ２２１：係止部
２３：透明カバー  ２３２：係止部
２４：本体側フック  ２５：ベルト  ２５１：フック
【図１】
2015073602.tif 000003
【図２】
2015073602.tif 000004
【図３】
2015073602.tif 000005
【図４】
2015073602.tif 000006
【図５】
2015073602.tif 000007
【図６】
2015073602.tif 000008
【図７】
2015073602.tif 000009
【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
文字等を描くことができる表示面を有するボードを収納する本体部と、
該本体部に収納された該ボードの該表示面を外部から見ることができる、該本体部に形成された開放部と、
該開放部を被うことができる、開閉可能な透明性カバーと
を有することを特徴とするバッグ。
【請求項２】
前記本体部の上側には該ボードを収納する収納口が設けられ、更に該収納口を被う、開閉可能な上カバーを備え、
前記透明性カバーの一端は該上カバーに結合している請求項１のバッグ。
【請求項３】
更に、前記本体部に結合された1対のフックと、該フックに係合するベルトを有する請求項1又は２記載のバッグ。
【請求項４】
前記開放部を被う前記透明性カバーを前記開放部から移動した状態で、前記表示面に文字等を描くことができる請求項1乃至３のいずれかの項記載のバッグ。
【請求項５】
文字等を描くことができる表示面を有するボードと、
収納口より該ボードを受け入れて収納する本体部と、
該本体部に収納された該ボードの該表示面を外部から見ることができる、該本体部に形成された開放部と、
該開放部を被うことができる、開閉可能な透明性カバーと
を有することを特徴とするボード用装置。
【請求項６】
前記ボードは、該表示面に対応して多数のＬＥＤが配置され、該ＬＥＤを駆動する電池を備え、
更に、切欠き部を有する平板状部材を有し、
該平板状部材の該切欠き部に前記ボードの少なくとも該電池を収容した状態で、前記ボードと該平板状部材が前記本体部に収納されること
を特徴とする請求項５記載のボード用装置。
【請求項７】
文字等が描ける表示面を有する看板用ボードと、
収納口より該ボードを受け入れて収納する本体部と、
該本体部に収納された該ボードの該表示面を外部から見ることができる、該本体部に形成された開放部と、
を有することを特徴とするボード用装置。
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
文字等を描くことができる表示面を有し、該表示面に対応して多数のＬＥＤが配置され、該ＬＥＤを駆動する電池を備えるボードと、
収納口より該ボードを受け入れて収納する本体部と、
該本体部に収納された該ボードの該表示面を外部から見ることができる、該本体部に形成された開放部と、
該開放部を被うことができる、開閉可能な透明性カバーと、
切欠き部を有する平板状部材と、を有し、
該平板状部材の該切欠き部に前記ボードの少なくとも該電池を収容した状態で、前記ボードと該平板状部材が前記本体部に収納されること
を特徴とするボード用装置。
【請求項２】
更に、前記収納口を被う開閉可能な上カバーを備え、前記透明性カバーの一端は該上カバーに結合している
ことを特徴とする請求項１に記載のボード用装置。
【請求項３】
更に、前記本体部に結合された1対のフックと、該フックに係合するベルトを有する請求項1又は２記載のボード用装置。
【請求項４】
前記開放部を被う前記透明性カバーを前記開放部から移動した状態で、前記表示面に文字等を描くことができる請求項1乃至３のいずれかの項記載のボード用装置。